(57)【特許請求の範囲】
【請求項１】
多孔スクリーンにより上下に仕切られ、このスクリーンの上側へ処理物が投入されるケーシングと、このケーシングを振動させる振動手段と、前記スクリーンの下側に空気を供給し、スクリーン上の処理物に空気を吹き上げる手段と、この空気で吹き上げられる処理物を別々に吸引する複数の吸引手段とを備え、前記ケーシングに投入される処理物を、前記スクリーンを通過するものと、通過しないものとに選別して、これらの選別された処理物を別々の排出口に排出するとともに、前記スクリーンを通過しないものから前記複数の吸引手段で別々に吸引される処理物を、各吸引手段に接続されたダクトで１つの捕集機に搬送して捕集する風力選別装置において、前記各吸引手段に接続されたダクトを前記捕集機まで独立に導くようにしたことを特徴とする風力選別装置。
【発明の詳細な説明】
【０００１】
【発明の属する技術分野】
この発明は、異種材料が混じった処理物の風力選別装置に関し、特に、各種廃棄物を可燃物と不燃物とに選別するのに好適な風力選別装置に関するものである。
【０００２】
【従来の技術】
各種廃棄物を可燃物と不燃物とに選別する際には風力選別装置が用いられている。建築廃棄物等のように、異種材料が結合したり、大形の廃材を含む場合は、事前に破砕機等を用いてこれらの廃棄物を破砕したのち風力選別装置で選別している。このような廃棄物の選別には、廃棄物が投入されるケーシングを振動させながら選別する風力選別装置がよく用いられる。
【０００３】
図２は、この種の風力選別装置の一例を示す。この風力選別装置は、一端側の天井に廃棄物の投入口５１が設けられ、他端側へ向かって順次配されたメッシュの異なる３種のスクリーン５２ａ、５２ｂ、５２ｃにより上下に仕切られたケーシング５３と、ケーシング５３を振動させる振動手段５４と、各スクリーン５２ａ、５２ｂ、５２ｃの下側に仕切られた各風箱５５ａ、５５ｂ、５５ｃに空気を供給する送風機５６と、それぞれのスクリーン５２ａ、５２ｂ、５２ｃの終端部上方の天井に設けた３つの吸引フード５７ａ、５７ｂ、５７ｃと、これらの各吸引フード５７ａ、５７ｂ、５７ｃと１本のダクト５８で接続されたサイクロン５９と、ダクト５８とサイクロン５９を介して各吸引フード５７ａ、５７ｂ、５７ｃから空気を吸引する排風機６０とを備え、各風箱５５ａ、５５ｂ、５５ｃの底と、スクリーン５２ｃの終端側のケーシング５３の底とに、それぞれ選別された廃棄物の排出口６１ａ、６１ｂ、６１ｃ、６２が設けられたものである。
【０００４】
前記投入口５１からケーシング５３に投入される可燃物と不燃物が混じった廃棄物は、振動手段５４で付与される振動により、順次各スクリーン５２ａ、５２ｂ、５２ｃ上を排出口６２側へ向かって移動する。これらのスクリーン５２ａ、５２ｂ、５２ｃは、排出口６２側のものほどメッシュが粗くなっており、小石や砂等の細かく比重が大きい不燃物は、細かいものから順にいずれかのスクリーン５２ａ、５２ｂ、５２ｃを通過して、各風箱５５ａ、５５ｂ、５５ｃ内に落下し、それぞれの排出口６１ａ、６１ｂ、６１ｃから外部に排出される。
【０００５】
前記各スクリーン５２ａ、５２ｂ、５２ｃを通過しないサイズが大きい不燃物と、木片、プラスチック片、紙片等の可燃物とは、各風箱５５ａ、５５ｂ、５５ｃから吹き上げる空気と、ケーシング５３の振動とにより、比重の小さい可燃物が上層、比重の大きい不燃物が下層となるように２層に分離される。
【０００６】
前記上層に分離される可燃物は、軽くて浮き上がりやすいものから順に各吸引フード５７ａ、５７ｂ、５７ｃに吸引され、紙やプラスチックシート等は最初の吸引フード５７ａへ、紐や布等は次の吸引フード５７ｂへ、木片やプラスチック片等は最後の吸引フード５７ｃへ吸引される。各吸引フード５７ａ、５７ｂ、５７ｃに吸引された可燃物は、１本のダクト５８にまとめられて搬送され、サイクロン５９で捕集される。
【０００７】
最後に残ったサイズの大きい不燃物は、スクリーン５２ｃの終端側から排出口６２に落下する。このようにして廃棄物から可燃物が選別され、さらに不燃物がサイズ別に分類される。
【０００８】
【発明が解決しようとする課題】
通常、ダクトはその経路に沿って屈曲部や上昇部（垂直部を含む）を有し、風量調整ダンパ等が設けられることもある。ダクトを搬送される搬送物は、このような屈曲部や上昇部およびダンパ設置部等で引っ掛かったり、堆積したりしやすいことが知られている。このような引っ掛かりや堆積を防止するためには、搬送物の形態に合わせて空気流速やダクトの経路形状を設計する必要がある。
【０００９】
しかしながら、上述したように、従来の風力選別装置は、吸引手段としての複数の吸引フードから吸引される可燃物を、１本のダクトにまとめて捕集機としてのサイクロンに搬送しており、それぞれの吸引フードから吸引される形態の異なる可燃物は、ダクトの大部分の経路を同じ流速の空気流で搬送される。このため、木片やプラスチック片のように比較的重い可燃物がダクトの屈曲部や上昇部およびダンパ設置部等で引っ掛かったり、堆積したりしやすい問題がある。
【００１０】
この引っ掛かりや堆積を防止する手段としては、ダクトの空気流速を木片やプラスチック片に合わせて高速化することが考えられるが、１本にまとめられた大径のダクトの空気流速を高速化するには多大のエネルギを必要とし、ランニングコストが非常に高いものとなる。また、ダクトの経路形状の設計には、設備レイアウト等による制約があり、屈曲部や上昇部等を完全になくすことはできない。
【００１１】
そこで、この発明の課題は、風力選別装置の複数の吸引手段で吸引される処理物のダクト内での引っ掛かりや堆積を安価な手段で防止することである。
【００１２】
【課題を解決するための手段】
上記の課題を解決するために、この発明は、多孔スクリーンにより上下に仕切られ、このスクリーンの上側へ処理物が投入されるケーシングと、このケーシングを振動させる振動手段と、前記スクリーンの下側に空気を供給し、スクリーン上の処理物に空気を吹き上げる手段と、この空気で吹き上げられる処理物を別々に吸引する複数の吸引手段とを備え、前記ケーシングに投入される処理物を、前記スクリーンを通過するものと、通過しないものとに選別して、これらの選別された処理物を別々の排出口に排出するとともに、前記スクリーンを通過しないものから前記複数の吸引手段で別々に吸引される処理物を、各吸引手段に接続されたダクトで１つの捕集機に搬送して捕集する風力選別装置において、前記各吸引手段に接続されたダクトを前記捕集機まで独立に導く構成を採用した。
【００１３】
すなわち、複数の吸引手段に接続されたダクトを、それ以後の経路に屈曲部や上昇部およびダンパ設置部等のない捕集機まで独立に導くことにより、屈曲部や上昇部およびダンパ設置部等のある経路でのダクトの空気流速を独立に調整可能として、ダクト内での処理物の引っ掛かりや堆積を防止できるようにした。
【００１４】
【発明の実施の形態】
以下、図面に基づき、この発明の実施形態を説明する。この風力選別装置は廃棄物を可燃物と不燃物とに選別するものであり、図１に示すように、一端側の天井に廃棄物の投入口１が設けられ、他端側へ向かって順次配されたメッシュの異なる３種のスクリーン２ａ、２ｂ、２ｃにより上下に仕切られたケーシング３と、ケーシング３を振動させる振動手段４と、各スクリーン２ａ、２ｂ、２ｃの下側に仕切られた各風箱５ａ、５ｂ、５ｃに空気を供給する送風機６と、それぞれのスクリーン２ａ、２ｂ、２ｃの終端部上方の天井に設けた吸引手段としての３つの吸引フード７ａ、７ｂ、７ｃと、これらの各吸引フード７ａ、７ｂ、７ｃと別々の各ダクト８ａ、８ｂ、８ｃで接続された捕集機としてのサイクロン９と、各ダクト８ａ、８ｂ、８ｃとサイクロン９を介して各吸引フード７ａ、７ｂ、７ｃから空気を吸引する排風機１０とを備え、各風箱５ａ、５ｂ、５ｃの底と、スクリーン２ｃの終端側のケーシング３の底とに、それぞれ選別された廃棄物の排出口１１ａ、１１ｂ、１１ｃ、１２が設けられている。
【００１５】
前記ケーシング３は、ベース上にばね部材１３を介して載置された機台１４に、互いに直角方向に向けられた揺動レバー１５と圧縮コイルばね１６とで支持され、モータ１７で回転駆動され、機台１４に軸支されたクランク１８とレバー１９で連結されて、斜め方向に振動を付与されるようになっている。
【００１６】
前記投入口１からケーシング３に投入される可燃物と不燃物が混じった廃棄物は、振動手段４で付与される振動により、順次各スクリーン２ａ、２ｂ、２ｃ上を排出口１２側へ向かって移動する。これらのスクリーン２ａ、２ｂ、２ｃは、排出口１２側のものほどメッシュが粗くなっており、小石や砂等の細かく比重が大きい不燃物は、細かいものから順にいずれかのスクリーン２ａ、２ｂ、２ｃを通過して、各風箱５ａ、５ｂ、５ｃ内に落下し、それぞれの排出口１１ａ、１１ｂ、１１ｃから外部に排出される。
【００１７】
前記各スクリーン２ａ、２ｂ、２ｃを通過しないサイズが大きい不燃物と、木片、プラスチック片、紙片等の可燃物とは、各風箱５ａ、５ｂ、５ｃから吹き上げる空気と、ケーシング３の振動とにより、比重の小さい可燃物が上層、比重の大きい不燃物が下層となるように２層に分離される。
【００１８】
前記上層に分離される可燃物は、軽くて浮き上がりやすいものから順に各吸引フード７ａ、７ｂ、７ｃに吸引され、紙やプラスチックシート等は最初の吸引フード７ａへ、紐や布等は次の吸引フード７ｂへ、木片やプラスチック片等は最後の吸引フード７ｃへ吸引される。各吸引フード７ａ、７ｂ、７ｃに吸引された可燃物は、各ダクト８ａ、８ｂ、８ｃで別々に搬送され、サイクロン９で捕集される。
【００１９】
前記各ダクト８ａ、８ｂ、８ｃには風量調整ダンパ２０が設けられており、それぞれ空気流速が独立に調整されるようになっている。この実施形態では、ダクト８ｃの空気流速が最も高速に調整され、ダクト８ａの空気流速が最も低速に調整されている。
【００２０】
最後に残ったサイズの大きい不燃物は、スクリーン２ｃの終端側から排出口１２に落下する。このようにして廃棄物から可燃物が選別され、さらに不燃物がサイズ別に分類される。
【００２２】
また、本発明に係る風力選別装置は、実施形態のものに限定されることはなく、スクリーンで上下に仕切られたケーシングを振動させるとともに、スクリーン上の処理物に空気を吹き上げ、この空気で吹き上げられる処理物を複数の吸引手段で吸引して捕集機で捕集するタイプのものであればよい。
【００２３】
【発明の効果】
以上のように、この発明の風力選別装置は、複数の吸引手段に接続されたダクトを、それ以後の経路に屈曲部や上昇部およびダンパ設置部等のない捕集機まで独立に導くようにしたので、これらの屈曲部や上昇部およびダンパ設置部等のある経路でのダクトの空気流速を独立に調整でき、ダクト内での処理物の引っ掛かりや堆積を防止することができる。
【図面の簡単な説明】
【図１】風力選別装置の実施形態を示す縦断面図
【図２】従来の風力選別装置を示す縦断面図
【符号の説明】
１  投入口
２ａ、２ｂ、２ｃ  スクリーン
３  ケーシング
４  振動手段
５ａ、５ｂ、５ｃ  風箱
６  送風機
７ａ、７ｂ、７ｃ  吸引フード
８ａ、８ｂ、８ｃ  ダクト
９  サイクロン
１０  排風機
１１ａ、１１ｂ、１１ｃ、１２  排出口
１３  ばね部材
１４  機台
１５  揺動レバー
１６  コイルばね
１７  モータ
１８  クランク
１９  レバー
２０  風量調整ダンパ
【図１】
0003756805.tif 000002
【図２】
0003756805.tif 000003